(57)【要約】【課題】安全で簡単かつ容易に減容しうると共に、減容すべきペットボトルの識別が容易にできるペットボトル減容機の提供。【解決手段】本発明のペットボトル減容機は、上面にペットボトル投入口１を有し、また少なくとも２種類の他の回収容器投入口及び扉を有する筐体からなり、該筐体中に各容器回収箱９、１０及びペットボトル回収箱１５を有すると共に、前記回収容器投入口から各回収箱へ通じる導入ガイドを有し、また該筐体中には、ペットボトル投入口１とペットボトル回収箱１５との間に垂直に設けられたペットボトル導入ガイド１１及びペットボトル圧縮部１４を順に有し、更に該ペットボトル導入ガイド１１の途中にストッパー１２が設けられている。このペットボトル圧縮部１４は、並列した２個のローラー２１ａ，２１ｂを有し、ローラー表面には穴明け用突起及び滑り防止用フィード用部材を有する。【選択図】　図４
2004001049.tif 000002
【特許請求の範囲】
【請求項１】
ペットボトル投入口を有し、また少なくとも２種類の他の回収容器投入口及び扉を有する筐体からなり、該筐体中には各容器回収箱及びペットボトル回収箱を有すると共に、前記回収容器投入口から各回収箱へ通じる導入ガイドを有し、また該筐体中には、ペットボトル投入口とペットボトル回収箱との間に設けられたペットボトル導入ガイド及びペットボトル圧縮部を順に有し、更に該ペットボトル導入ガイドの途中にストッパーが設けられていることを特徴とするペットボトル減容機。
【請求項２】
ペットボトル圧縮部は、並列した２個のローラーを有し、該ローラーがモーターに連動していることを特徴とする請求項１に記載のペットボトル減容機。
【請求項３】
ローラー表面にフィード用部材を有することを特徴とする請求項１又は請求項２に記載のペットボトル減容機。
【請求項４】
ローラー表面に穴あけ用突起を有することを特徴とする請求項１乃至請求項３のいずれかに記載のペットボトル減容機。
【請求項５】
フィード用部材の表面には滑り防止用模様を有することを特徴とする請求項１乃至請求項４のいずれかに記載のペットボトル減容機。
【請求項６】
ペットボトル投入口には、蓋を有することを特徴とする請求項１乃至請求項５のいずれかに記載のペットボトル減容機。
【発明の詳細な説明】
【０００１】
【発明の属する技術分野】本発明は、安全で簡単かつ容易に減容しうると共に、減容すべきペットボトルの識別が容易にできるペットボトル減容機に関するものである。
【０００２】
【従来の技術】近年、大量のビンや缶、ペットボトルが廃棄物として排出するなか、資源の有効利用乃至再資源化が時代の主流となり、ビンや缶と共にペットボトルの再資源化が行われるようになった。この再資源化に際し、ペットボトルは、回収され、特にコンビニエンスストア等ではビンや缶と共に、ペットボトル回収箱が置かれるようになったが、大小のペットボトルが混在して回収されるばかりでなく、回収箱自体もあまり大きくない点で、例えば２リットル用ペットボトルを多量に持ち込むとすぐに一杯になってしまうので潰して、即ち減容して回収箱へ投入することが行われている。
【０００３】
【発明が解決しようとする課題】しかしながら、ペットボトルを一々人手に頼って潰す場合は、手で潰すには力が必要でかつ手が痛くなるばかりかまた足等で潰すのは非常に煩わしいので、そのまま回収箱へ投入する場合が多く、したがって回収箱からのペットボトルの回収を１日に何回も行わなければならないという問題があり、この点の問題解決が要望されていた。そこで、本発明者等は、回収箱からのペットボトルの回収回数を減らし、しかも減容を容易に行うことができると共に、安全に行える点を勘案し、安全で簡単かつ容易に減容しうると共に、減容すべきペットボトルの識別が容易にであるペットボトル減容機を見出し、ここに発明をするに至った。
【０００４】
したがって、本発明が解決しようとする第１の課題は、安全で簡単かつ容易に減容しうると共に、減容すべきペットボトルの識別が容易にできるペットボトル減容機を提供することにある。また本発明が解決しようとする第２の課題は、安全で簡単かつ容易にペットボトル圧縮部へ供給しうるローラーを有するペットボトル減容機を提供することにある。
【０００５】
【課題を解決するための手段】本発明の上記課題は、以下の各発明によってそれぞれ達成される。
【０００６】
（１）ペットボトル投入口を有し、また少なくとも２種類の他の回収容器投入口及び扉を有する筐体からなり、該筐体中には各容器回収箱及びペットボトル回収箱を有すると共に、前記回収容器投入口から各回収箱へ通じる導入ガイドを有し、また該筐体中には、ペットボトル投入口とペットボトル回収箱との間に設けられたペットボトル導入ガイド及びペットボトル圧縮部を順に有し、更に該ペットボトル導入ガイドの途中にストッパーが設けられていることを特徴とするペットボトル減容機。
（２）ペットボトル圧縮部は、並列した２個のローラーを有し、該ローラーがモーターに連動していることを特徴とする前記第１項に記載のペットボトル減容機。
（３）ローラー表面にフィード用部材を有することを特徴とする前記第１項又は第２項に記載のペットボトル減容機。
（４）ローラー表面に穴明け用突起を有することを特徴とする前記第１項乃至第３項のいずれかに記載のペットボトル減容機。
（５）フィード用部材の表面には滑り防止用模様を有することを特徴とする前記第１項乃至第４項のいずれかに記載のペットボトル減容機。
（６）ペットボトル投入口には、蓋を有することを特徴とする前記第１項乃至第５項のいずれかに記載のペットボトル減容機。
【０００７】
本願第１項に記載の発明のペットボトル減容機は、ペットボトル投入口を有し、また少なくとも２種類の他の回収容器投入口及び容器回収箱取出用扉を有する筐体からなり、該筐体中には各容器回収箱及びペットボトル回収箱を有すると共に、前記回収容器投入口から各回収箱へ通じる導入ガイドを有し、また該筐体中には、ペットボトル投入口とペットボトル回収箱との間に設けられたペットボトル導入ガイド及びペットボトル圧縮部を順に有し、更に該ペットボトル導入ガイドの途中にストッパーが設けられていることを特徴とするものであって、このような機構により安全で簡単かつ容易に減容しうると共に、減容すべきペットボトルの識別が容易にできるという優れた効果を奏するものである。
【０００８】
本願第２項に記載の発明のペットボトル減容機において、ペットボトル圧縮部は、並列した２個のローラーを有し、該ローラーがモーターに連動していることにより、圧縮が簡単かつ容易に行うことができる。また本願第３項に記載の発明のペットボトル減容機において、ローラー表面にフィード用部材を有することにより、ペットボトルが容易にローラー間へ供給され、圧縮が容易になるという優れた効果を奏するものである。
【０００９】
本願第４項に記載の発明のペットボトル減容機において、ローラー表面に穴明け用突起を有することにより、蓋が閉まっている場合等による容器が密閉状態のペットボトルを圧縮する場合を予定して安全に処理することができる。また本願第５項に記載の発明のペットボトル減容機において、フィード用部材の表面には滑り防止用模様を有することにより、導入ガイドを通じて搬入されてきたペットボトルが圧縮部の並列ローラー中に容易に導入されると共に、このような模様をパターン加工することによりペットボトル１８を送る時、位置ずれやスリップ（滑り）が発生せず、しかも減容加工時に発生するノイズを吸収し、静かに処理することができる。更に本願第６項に記載の発明のペットボトル減容機において、ペットボトル投入口には、蓋を有することにより、減容運転休止時又は停止時等（以下、減容運転休止時等という。）における異物の投入や雨水が入るのを防止することができる。
【００１０】
【発明の実施の形態】以下、本発明を更に具体的に説明する。本願第１項に記載の発明のペットボトル減容機は、ペットボトル投入口を有し、また少なくとも２種類の他の回収容器投入口及び扉を有する筐体からなり、該筐体中には各容器回収箱及びペットボトル回収箱を有すると共に、前記回収容器投入口から各回収箱へ通じる導入ガイドを有し、また該筐体中には、ペットボトル投入口とペットボトル回収箱との間に設けられたペットボトル導入ガイド及びペットボトル圧縮部を順に有し、更に該ペットボトル導入ガイドの途中にストッパーが設けられていることを特徴とするが、この本発明の構成を図面で説明すると、図１は本発明のペットボトル減容機を示す斜視図である。図１において、匡体１は、上面にペットボトル投入口１を有し、更に該ペットボトル投入口１には、キー８ａの付いた蓋８が開閉可能に設けられており、この蓋８を有することにより減容運転休止時等における異物の投入や雨水が入るのを防止することができる。またペットボトル減容機２の正面には容器回収箱取出用扉２ａを有しており、該扉９には少なくとも２種類の他の回収容器投入口を有する。これらの投入口としては、缶投入口３及びビン投入口４を有しているが、これらを設ける位置は任意であり、図１では、上部に缶投入口３を設け，また下部にビン投入口４を設けた例を示したが、逆に上部にビン投入口４を設け，また下部に缶投入口３を設けてもよい。更に本発明のペットボトル減容機２には、キー付きファスナー錠５（５ａ、５ｂ）、扉２ａの開閉用蝶番７（７ａ、７ｂ）を有し、この扉２ａを開くことにより、各回収箱９、１０、１５を取り出したり、内部の装置や部品の修理、交換、調整等を容易に行うことができる。また下面には４角にアジャストボルト６が設けられており、ペットボトル減容機２を水平に設置できるように調整することができる。
【００１１】
図２は、図１に示される本発明のペットボトル減容機をＡ−Ｂ線で切断した断面を示す断面図であり、図３は、同ペットボトル減容機をＣ−Ｄ線で切断した断面を示す断面図であり、図４は、同ペットボトル減容機をＥ−Ｆ線で切断した断面を示す断面図である。以下、本発明のペットボトル減容機２の内部の構成を説明する。図２乃至図４において、本発明のペットボトル減容機２の下部には、缶回収箱９、ビン回収箱１０及びペットボトル回収箱１５が設置され、缶回収箱９には、缶投入口３から該缶回収箱９の上部へ至る誘導ガイド１６が設けられ、またビン回収箱１０には、ビン投入口４から該ビン回収箱１０の上部へ至る誘導ガイド１７が設けられ、缶又はビンは、それぞれこれらの誘導ガイド１６、１７に誘導れて所定の回収箱９、１０へ投入される。
【００１２】
一方、本発明のペットボトル減容機２には、ペットボトル回収箱１５の上部であって、かつペットボトル投入口１とペットボトル回収箱１５との間に垂直に設けられたペットボトル導入ガイド１１及びペットボトル圧縮部１４を順に有し、ペットボトル投入口１から投入されたペットボトル１８は、ペットボトル誘導ガイド１１を通過してペットボトル圧縮部１４に導入される。このペットボトル圧縮部１４は、２個の圧縮ローラー２１ａ、２１ｂがモーター１３と連動しており、更にこれらの圧縮ローラー２１ａ、２１ｂは互いに内側に回転する。このように圧縮ローラー同士が互いに内側に回転するように連動させる一例は、ベルトを交互に接続することにより達成することができる。このように、ペットボトル投入口１から投入されたペットボトル１８は、ペットボトル誘導ガイド１１を通過してペットボトル圧縮部１４に導入され、ここで、並列した２個のローラー２１ａ、２１ｂ間を通過するとき、ペットボトル１８は圧縮圧により簡単かつ容易に押し潰されて減容する。減容量は、３割以下にされるが、減容量の調節は２個の圧縮ローラー２１ａ、２１ｂの間隙を調整することにより容易に行うことができる。本発明では、前記ペットボトル誘導ガイド１１に、ストッパー１２を有し、更にこれと連動して金属検知器と重量検知器が設置された検知部１２ａを有し、ペットボトル投入口１に缶が投入された場合には、ストッパー１２で停止し、金属検知器により缶であることが検知された場合は、そのままストッパー１２上に停止したままとなり、異常を外部に報知する。またペットボトル投入口１に異物が投入された場合には、ストッパー１２に一旦停止し、重量検知器によりビンや残留物の入ったペットボトル等であることが検知された場合は、そのままストッパー１２上に停止したままとなり、これら以外のものは、空のペットボトルと判断してストッパー１２が開き、は、ペットボトル誘導ガイド１１を通過し、圧縮部１４へ導入される。
【００１３】
図５は、本発明に用いられるペットボトル圧縮部の詳細を下側からみたところを示す平面図である。図６は、本発明に用いられるペットボトル圧縮部を示す側面図である。図５及び図６において、圧縮ローラー２１は、円筒形からなっていて、その中央部に溝乃至凹部を回転方向に有している構造のものが好ましく、通常切り込み等によって凹部又は溝を形成する。またこの圧縮ローラー２１は、中央部を残してフィード用部材２０で覆われていることが好ましい。このフィード用部材２０は、ローラー表面に接着剤やビス又はボルト等で固定することが好ましい。交換を考慮するとビス又はボルト等で固定するのがよい。このフィード用部材２０としては、ゴムや合成樹脂等が用いられるが、スリップ防止という観点からみるとゴム、取り分け合成ゴムが好ましい。ローラー表面にフィード用部材を有することにより、ペットボトル１８は容易にローラー間へ供給されるので、圧縮が容易になる。このような圧縮ローラー２１を２個並列に配置すると共に圧縮ローラー２１ａと圧縮ローラー２１ｂの間隔を所定の間隔に調整することができる。これらの圧縮ローラー２１ａ、２１ｂは、それぞれ駆動軸２２ａ、２２ｂを有しており、これらは互いに内側方向に回転する。ペットボトル１８は、これらの圧縮ローラー２１ａと圧縮ローラー２１ｂの間を通過して圧縮される。更に図７の断面図に示されるように、本発明に用いられる圧縮ローラー２１には、ローラー表面に穴明け用突起を有することが好ましい。該突起を設ける位置はペットボトル１８が通過する個所がよく、したがって中央部のローラーの露出部又はフィード用部材で覆われた中央部よりが好ましい。更にこれらの両方の位置に設けてもよい。この突起を設けることによりペットボトルの蓋が閉まっている場合、内部の空気が孔を明けることによって容易に排出されるので、圧縮乃至減容処理を安全に行うことができる。
【００１４】
本発明のペットボトル減容機２の圧縮部１４において、フィード用部材２０の表面には滑り防止用模様を有することことが好ましく、これにより、導入ガイド１１を通じて搬入されてきたペットボトル１８が圧縮部４の並列ローラー２１ａ、２１ｂ中に容易に導入される。図８は、フィード用部材の表面に設けられる模様を示す平面図である。図８のａは、Ｖ字と片仮名のハを重ね合わせた模様であり、図８のｂは、はしご模様であり、水平線が傾斜していることが好ましい。図８のｃは、二本の垂直線に斜線をジグザグ状に配置した模様であり、図８のｄは、水平線の上下に波形を配置した模様である。図８のｅは、二本の波形を縦に配置しこれらの間に複数の水平線を配置した模様である。本発明に用いられる模様は、これらに限定されるものではなく、これはその一例を示したものである。本発明では、このような模様をパターン加工することによりペットボトル１８を送る時、位置ずれやスリップ（滑り）が発生せず、しかも減容加工時に発生するノイズを吸収し、静かに処理することができる。
【００１５】
更に本発明のペットボトル減容機２において、ペットボトル投入口１には、蓋８を有することにより、減容運転休止時の異物の投入や雨水が入るのを防止することができる。この蓋は、キー付き蓋とすることができる。ここで、本発明のペットボトル減容機２について、設置場所、操作方法等を説明すると、ペットボトル減容機２の上面に設けられたペットボトル投入口１にペットボトル１８（キャップが付いているときは、キャップを取ってから、投入することが好ましい。）の口を下にして投入する。この際、投入されたペットボトル１８は、ストッパー１２によりストッパー部で一旦停止する。ここで、缶やビンではなく、空のペットボトルであることが確認される（缶やビン等でないこと）と、ストッパー１２が開き、ペットボトル誘導ガイド１１を通過してペットボトル１８は、圧縮部１４へ導入され、この圧縮部１４の並列した２個の圧縮ローラー２１ａ，２２ｂ間のほぼ中央部の窪みにペットボトルの先端部が挿入され、これに続いてペットボトル本体が圧縮ローラー２１ａと圧縮ローラー２２ｂとの間に挟み込まれて圧縮される。この圧縮ローラー２１には、フィード用ゴム２０を有し、図８のｃに示される模様が付けられている。模様は凹凸模様である。更にローラーに設けられた突起２３（図７参照）により穴が明けられる。このように圧縮部１４で圧縮され、減容されたペットボトル１９は、ペットボトル回収箱１５中に落下する。減容ペットボトル１９の容量は３分の１以下となる。またペットボトル以外の容器、例えば、缶やビン等は、金属製とガラス製とに分けてそれぞれの投入口から投入され、それぞれの誘導ガイドで誘導されてそれぞれの缶回収箱９、ビン回収箱１０へ導入される。ペットボトル減容機２中の各回収箱９、１０及び１５を取り出すには、該減容器２の正面側に設けられた開閉扉２ａを開いて取り出す。この開閉扉２ａには、キー付きファスナー錠により通常は鍵が掛けられている。
【００１６】
【発明の効果】本発明のペットボトル減容機は、上面にペットボトル投入口を有し、また少なくとも２種類の他の回収容器投入口及び扉を有する筐体からなり、該筐体中に各容器回収箱及びペットボトル回収箱を有すると共に、前記回収容器投入口から各回収箱へ通じる導入ガイドを有し、また該筐体中には、ペットボトル投入口とペットボトル回収箱との間に垂直に設けられたペットボトル導入ガイド及びペットボトル圧縮部を順に有し、更に該ペットボトル導入ガイドの途中にストッパーが設けられていることにより、安全で簡単かつ容易に減容しうると共に、減容すべきペットボトルの識別が容易にできるという優れた効果を奏するものである。
【００１７】
また本発明のペットボトル減容機において、ローラー表面にフィード用部材を有することにより、ペットボトルが容易にローラー間へ供給され、圧縮が容易になるという優れた効果を奏するものである。更に本発明のペットボトル減容機において、ローラー表面に穴明け用突起を有することにより、蓋が閉まっている場合に、内部の空気を容易に安全に排出される。更にまた本発明のペットボトル減容機において、フィード用部材の表面には滑り防止用模様を有することにより、導入ガイドを通じて搬入されてきたペットボトルが圧縮部の並列ローラー中に容易に導入されると共に、このような模様をパターン加工することによりペットボトル１８を送る時、位置ずれやスリップ（滑り）が発生せず、しかも減容加工時に発生するノイズを吸収し、静かに処理することができる。本発明のペットボトル減容機において、ペットボトル投入口には、蓋を有することにより、減容運転休止時における異物のの投入や雨水が入るのを防止することができるという優れた効果を奏するものである。
【図面の簡単な説明】
【図１】本発明のペットボトル減容機を示す斜視図である。
【図２】図１に示される本発明のペットボトル減容機をＡ−Ｂ線で切断した断面を示す断面図である。
【図３】図１に示される本発明のペットボトル減容機をＣ−Ｄ線で切断した断面を示す断面図である。
【図４】図１に示される本発明のペットボトル減容機をＥ−Ｆ線で切断した断面を示す断面図である。
【図５】本発明に用いられるペットボトル圧縮部の詳細を下側からみたところを示す平面図である。
【図６】本発明に用いられるペットボトル圧縮部を示す側面図である。
【図７】本発明に用いられる圧縮ローラーに突起を設けたところを示す断面図である。
【図８】フィード用部材の表面に設けられる模様を示す平面図である。
【符号の説明】
１　ペットボトル投入口
２　ペットボトル減容機
２ａ　扉
３　缶投入口
４　ビン投入口
５　キー付きファスナー錠
６　アジャストボルト
７　蝶番
８　キー付き蓋
９　缶回収箱
１０　ビン回収箱
１１　ペットボトル誘導ガイド
１２　ストッパー
１２ａ　ペットボトル検知器
１３　モーター
１４　圧縮部
１５　ペットボトル回収箱
１６　缶誘導ガイド
１７　ビン誘導ガイド
１８　ペットボトル
１９　減容ペットボトル
２０、２０ａ、２０ｂ、２０ｃ、２０ｄ　フィード用部材
２１、２１ａ、２１ｂ　圧縮ローラー
２２、２２ａ、２２ｂ　駆動軸
２３　突起
【図１】
2004001049.tif 000003
【図２】
2004001049.tif 000004
【図３】
2004001049.tif 000005
【図４】
2004001049.tif 000006
【図５】
2004001049.tif 000007
【図６】
2004001049.tif 000008
【図７】
2004001049.tif 000009
【図８】
2004001049.tif 000010